(57)【特許請求の範囲】
【請求項１】
映像を表示するための表示パネルと、
前記表示パネルを収容する筐体と、
前記表示パネルに表示される映像に対応する映像信号に関連する回路部品が搭載されて前記表示パネルの背面側に配置された回路基板とを備え、
前記筐体が、前記回路基板よりも下側に形成された下通気孔と、前記回路基板よりも上側に形成された上通気孔とを有し、
前記回路部品からの発熱に基づいて前記回路基板に沿って前記下通気孔から前記上通気孔に向かって流れる気流の流路が、前記筐体内の前記表示パネルの背面側に形成され、
前記流路は、前記流路の断面積が前記回路基板に沿って変化するように形成され、
前記回路基板が、前記表示パネルの背面に対して傾斜するように配置されており、
前記表示パネルを支持するために前記表示パネルの背面側に設けられた支持シャーシと、
前記回路基板を支持するために前記支持シャーシの前記表示パネルと反対側に設けられたボス部材とをさらに備え、
前記回路基板は、前記支持シャーシに対して傾斜することを特徴とする表示装置。
【請求項２】
前記回路基板は、前記下通気孔側の前記表示パネルの背面との距離が、前記上通気孔側の前記表示パネルの背面との距離よりも短くなるように傾斜して配置される請求項１に記載の表示装置。
【請求項３】
前記回路基板の前記表示パネルの背面に対する傾斜角度が、３度以上７度以下である請求項１に記載の表示装置。
【請求項４】
前記筐体の前記表示パネルの背面側の背壁が、前記表示パネルの背面に対して傾斜するように形成されている請求項１に記載の表示装置。
【請求項５】
前記背壁は、前記回路基板に沿って前記下通気孔から前記上通気孔に向かって前記流路が狭くなるように形成されている請求項４に記載の表示装置。
【請求項６】
前記ボス部材は、前記回路基板を前記ボス部材に取り付けるためのねじ穴が中心軸に沿って形成され、前記支持シャーシ側の端面が前記回路基板の傾斜角度に応じて前記中心軸に対して傾斜するように形成される請求項１に記載の表示装置。
【請求項７】
前記ボス部材は、前記回路基板を前記ボス部材に取り付けるためのねじ穴が形成され、前記回路基板側の端面が前記回路基板の傾斜角度に応じて中心軸に対して傾斜するように形成される請求項１に記載の表示装置。
【請求項８】
前記回路基板を取り付けるためのねじ穴が中心軸に沿って形成され前記回路基板側の端面が前記回路基板の傾斜角度に応じて前記中心軸に対して傾斜するように形成されて前記ボス部材の上に設けられる斜め部材をさらに備える請求項１に記載の表示装置。
【発明の詳細な説明】
【技術分野】
【０００１】
本発明は、表示パネルの背面側に配置された回路基板を自然対流の煙突効果により放熱させる表示装置に関する。
【背景技術】
【０００２】
液晶パネルの直下型バックライトの反射板の背面に回路基板を配置し、液晶パネルを収容したキャビネットの後部の下面及び上面に通風孔を形成した液晶表示装置において、反射板の背面に回路基板を反射板と略平行に配置して自然対流が発生する間隔とするとともに、回路基板とキャビネットの背面側壁との間を自然対流が発生する間隔とした液晶表示装置が知られている（特許文献１）。
【０００３】
この液晶表示装置では、回路基板の表面の温度上昇により暖められた空気が回路基板に沿って上昇することにより自然対流が発生して回路基板の熱を放熱する。
【先行技術文献】
【特許文献】
【０００４】
【特許文献１】特開2005-84354号公報（2005年3月31日公開）
【発明の概要】
【発明が解決しようとする課題】
【０００５】
しかしながら、上述のような従来技術は、空気が上面の通風孔に排気される通路が回路基板に沿った上方への直進方向に限定される煙突効果に基づく気流によって、回路基板に生じた熱を放熱している。このため、回路基板の下半分では気流による放熱ができているが、回路基板の上半分では気流による放熱効果が十分に得られていないという問題がある。
【０００６】
本発明の一態様は、回路基板の上半分でも自然対流の煙突効果による十分な放熱効果を得ることができる表示装置を実現することを目的とする。
【課題を解決するための手段】
【０００７】
上記の課題を解決するために、本発明の一態様に係る表示装置は、映像を表示するための表示パネルと、前記表示パネルを収容する筐体と、前記表示パネルに表示される映像に対応する映像信号に関連する回路部品が搭載されて前記表示パネルの背面側に配置された回路基板とを備え、前記筐体の下面及び上面に下通気孔及び上通気孔がそれぞれ形成され、前記回路部品からの発熱に基づいて前記回路基板に沿って前記下通気孔から前記上通気孔に向かって流れる気流の流路が、前記筐体内の前記表示パネルの背面側に形成され、前記流路は、前記流路の断面積が前記回路基板に沿って変化するように形成されていることを特徴とする。
【発明の効果】
【０００８】
本発明の一態様によれば、回路基板の上半分でも自然対流の煙突効果による十分な放熱効果を得ることができる。
【図面の簡単な説明】
【０００９】
【図１】実施形態１に係る表示装置の断面図である。
【図２】流速と断面積との間の関係を示す図である。
【図３】比較例に係る表示装置の断面図である。
【図４】上記表示装置に係る自然対流を説明するための断面図である。
【図５】上記表示装置に設けられた表示パネルのための回路基板の斜視図である。
【図６】上記表示パネルが収容される筐体の背壁を示す図である。
【図７】上記筐体の底面を示す図である。
【図８】上記回路基板に設けられたＴ−ｃｏｎ基板の傾斜態様を示す断面図である。
【図９】上記Ｔ−Ｃｏｎ基板の温度分布を示す図である。
【図１０】比較例に係るＴ−Ｃｏｎ基板の温度分布を示す図である。
【図１１】上記Ｔ−Ｃｏｎ基板の周りの流速ベクトルを上記Ｔ−Ｃｏｎ基板の上記表示パネルと反対側から見た図である。
【図１２】上記Ｔ−Ｃｏｎ基板の周りの流速ベクトルを上記Ｔ−Ｃｏｎ基板の上記表示パネル側から見た図である。
【図１３】上記Ｔ−Ｃｏｎ基板の周りの流速ベクトルを上記Ｔ−Ｃｏｎ基板の上記表示パネルと反対側から見た図である。
【図１４】上記Ｔ−Ｃｏｎ基板の温度分布を示す図である。
【図１５】上記Ｔ−Ｃｏｎ基板の周りの流速ベクトルの分布を上記Ｔ−Ｃｏｎ基板の上記表示パネルと反対側から見た図である。
【図１６】上記Ｔ−Ｃｏｎ基板の周りの空気の速度ベクトルを示す側面図である。
【図１７】上記Ｔ−Ｃｏｎ基板の上記表示パネルに対する傾斜角度と上記Ｔ−Ｃｏｎ基板の温度との間の関係を示すグラフである。
【図１８】上記傾斜角度が０度のときの上記Ｔ−Ｃｏｎ基板の温度分布を示す図である。
【図１９】上記傾斜角度が１度のときの上記Ｔ−Ｃｏｎ基板の温度分布を示す図である。
【図２０】上記傾斜角度が３度のときの上記Ｔ−Ｃｏｎ基板の温度分布を示す図である。
【図２１】上記傾斜角度が５度のときの上記Ｔ−Ｃｏｎ基板の温度分布を示す図である。
【図２２】上記傾斜角度が６度のときの上記Ｔ−Ｃｏｎ基板の温度分布を示す図である。
【図２３】上記傾斜角度が７度のときの上記Ｔ−Ｃｏｎ基板の温度分布を示す図である。
【図２４】上記傾斜角度が８度のときの上記Ｔ−Ｃｏｎ基板の温度分布を示す図である。
【図２５】上記傾斜角度が９度のときの上記Ｔ−Ｃｏｎ基板の温度分布を示す図である。
【図２６】上記傾斜角度が１０度のときの上記Ｔ−Ｃｏｎ基板の温度分布を示す図である。
【図２７】上記傾斜角度が０度のときの上記回路基板の温度分布を示す図である。
【図２８】上記傾斜角度が７度のときの上記回路基板の温度分布を示す図である。
【図２９】上記傾斜角度が０度及び７度のときの上記回路基板の温度分布を示す表である。
【図３０】上記Ｔ−Ｃｏｎ基板と上記表示パネルと上記筐体との関係を示す断面図である。
【図３１】上記Ｔ−Ｃｏｎ基板と上記表示パネルと上記筐体とのときの上記Ｔ−Ｃｏｎ基板の温度分布を示す図である。
【図３２】上記Ｔ−Ｃｏｎ基板と上記表示パネルと他の筐体との関係を示す断面図である。
【図３３】上記Ｔ−Ｃｏｎ基板と上記表示パネルと他の筐体とのときの上記Ｔ−Ｃｏｎ基板の温度分布を示す図である。
【図３４】比較例に係るＴ−Ｃｏｎ基板と表示パネルと筐体との関係を示す断面図である。
【図３５】上記Ｔ−Ｃｏｎ基板と上記表示パネルと上記筐体とのときの上記Ｔ−Ｃｏｎ基板の温度分布を示す図である。
【図３６】実施形態１の変形例に係る表示装置の断面図である。
【図３７】上記回路基板の設置構成を示す断面図である。
【図３８】比較例に係る回路基板の設置構成を示す断面図である。
【図３９】上記回路基板の他の設置構成を示す断面図である。
【図４０】上記回路基板のさらに他の設置構成を示す断面図である。
【図４１】実施形態２に係る表示装置の断面図である。
【図４２】上記表示装置に設けられたＴ−Ｃｏｎ基板の温度分布を示す図である。
【図４３】実施形態２に係る他の表示装置の断面図である。
【発明を実施するための形態】
【００１０】
〔実施形態１〕
（表示装置１の構成）
以下、本発明の一実施形態について、詳細に説明する。図１は実施形態１に係る表示装置１の断面図である。
【００１１】
表示装置１は、映像を表示するための表示パネル２と、表示パネル２を収容するために例えば直方体形状に形成された筐体３と、表示パネル２に表示される映像に対応する映像信号に関連する回路部品が搭載されて表示パネル２の背面５側に配置された回路基板４とを備える。筐体３の下面及び上面に下通気孔８及び上通気孔９がそれぞれ形成される。上通気孔９は下通気孔８の真上の位置に形成される。下通気孔８は、回路基板４よりも下側に形成される。上通気孔９は、回路基板４よりも上側に形成される。
【００１２】
なお、上通気孔９が筐体３の上面に形成される例を示したが、本発明はこれに限定されない。上通気孔９は筐体３の上部に形成されていれば良く、例えば筐体３の背面の上側に形成されていても良い。背面の上側とは、回路基板４が配置される位置よりも上側を意味する。また、下通気孔８が筐体３の下面に形成される例を示したが、本発明はこれに限定されない。下通気孔８は筐体３の下部に形成されていれば良く、例えば筐体３の背面の下側に形成されていても良い。背面の下側とは、回路基板４が配置される位置よりも下側を意味する。
【００１３】
筐体３が直方体形状の例を示したが、本発明はこれに限定されない。筐体３は、表示パネル２等を収納するために適切な形状であれば良く、例えば、上面が存在しない形状であっても良い。表示装置１は、テレビジョン放送の電波を受信し、映像と音声を表示（視聴）するためのテレビジョン受信機（通称：テレビ）であってもよいし、コンピュータ等の機器から出力される静止画又は動画の映像信号を表示するためのディスプレイ（display）又はモニタ（monitor）であってもよい。表示パネル２は、液晶ディスプレイパネルである例を示すが、有機ＥＬ（Electro-Luminescence，エレクトロルミネッセンス）ディスプレイパネルであってもよいし、プラズマディスプレイパネルでもよい。回路基板４は、映像信号をパネル駆動信号に変換して、表示パネル２に配列された表示素子に送信するためのタイミングコントローラ基板（Ｔ−Ｃｏｎ基板）等を含む。
【００１４】
筐体３の内部には、表示パネル２にバックライトを照射するバックライト部１２と、バックライト部１２と回路基板４とを固定するための金属のフレームにより構成される支持シャーシ１１とが、表示パネル２と回路基板４との間に設けられる。
【００１５】
そして、回路基板４に搭載された回路部品からの発熱に基づいて、回路基板４に接触する空気が加熱されて上通気孔９に向かって上昇し、下通気孔８から外部の空気が流入することにより、回路基板４に沿って下通気孔８から上通気孔９に向かって流れる気流の流路が、筐体３内の表示パネル２の背面５側に形成される。この流路は、流路の断面積が回路基板４に沿って変化するように形成されている。
【００１６】
図１に示す例では、回路基板４は、表示パネル２の背面５に対して傾斜角度θで傾斜するように配置されている。これにより、回路基板４に沿って下通気孔８から上通気孔９に向かって流れる気流の流路の断面積が回路基板４に沿って変化する。
【００１７】
この回路基板４は、図１に示すように、下通気孔８側の表示パネル２の背面５との間の距離が、上通気孔９側の表示パネル２の背面５との間の距離よりも短くなるように表示パネル２の背面に対して傾斜して配置される。これにより、回路基板４が、表示パネル２の背面５に対して傾斜角度θで傾斜する。この傾斜角度θは、例えば後述するシミュレーションの条件に従えば３度以上７度以下である。好ましいのが何度なのかはシミュレーションの条件によって変化する。
【００１８】
図２は流速と断面積との間の関係を示す図である。回路基板４に搭載された回路部品からの発熱に基づいて回路基板４に沿って下通気孔８から上通気孔９に向かって流れる気流の流路の断面積は、回路基板４に沿って変化する。この気流の流速と、この気流が流れる流路の断面積とは、
流量（ｍ３／秒）＝断面積（ｍ２）×流速（ｍ／秒）、
なる関係が成立し、流量を一定とすると、断面積と流速とは反比例する。即ち、図２に示すように、気流が流れる流路が絞られて流路の断面積が狭くなると、気流の流速は速くなる。
【００１９】
従って、回路基板４に搭載された回路部品からの発熱に基づいて回路基板４に沿って下通気孔８から上通気孔９に向かって流れる気流の流速は、傾斜角度θで傾斜する基板４の上通気孔９側と筐体３の背壁１０との間の流路の断面積が狭くなる箇所において速くなり、及び、傾斜角度θで傾斜する基板４の下通気孔８側と支持シャーシ１１との間の流路の断面積が狭くなる箇所において速くなる。
【００２０】
図３は比較例に係る表示装置９１の断面図である。図４は表示装置９１に係る自然対流を説明するための断面図である。前述した構成要素と同様の構成要素には同様の参照符号を付し、その詳細な説明は繰り返さない。
【００２１】
表示装置９１の回路基板４は、表示パネル２の背面５に対して平行に配置される。そして、回路基板４が発熱することによって暖められた空気が気流となって上昇し、その上昇した分の空気が下通気孔８から筐体３の内部に流入する。これにより、回路基板４と筐体３の背壁１０との間、及び、回路基板４と支持シャーシ１１との間を通って下通気孔８から上通気孔９に向かう自然対流が発生する。
【００２２】
図５は表示装置１に設けられた表示パネル２のための回路基板４の斜視図である。図６は表示パネル２が収容される筐体３の背壁１０を示す図である。図７は筐体３の底面１５を示す図である。図８は回路基板４に設けられたＴ−ｃｏｎ基板１６の傾斜態様を示す断面図である。前述した構成要素と同様の構成要素には同様の参照符号を付し、その詳細な説明は繰り返さない。
【００２３】
実施形態１に係る回路基板４の放熱効果をシミュレーションにて検証した。図５〜図８は、一例として行ったシミュレーションの条件を示している。
【００２４】
回路基板４は、映像信号をパネル駆動信号に変換して表示パネル２の表示素子に送信するための消費電力１０ＷのＴ−Ｃｏｎ基板１６と、バックライト部１２の光源であるＬＥＤの電力を制御するための消費電力３０ＷのＬＥＤドライバ基板１７と、表示装置１の全体に電力を供給するための消費電力２０Ｗの電源基板１８と、表示装置１の全体の制御及び信号処理を行うための消費電力１０Ｗのメイン基板１９と、表示パネル２の側面方向から光を照射する液晶方式において、側面部分に配置されるバックライト光源としてのＬＥＤ基板である消費電力２１６Ｗのエッジ型のＬＥＤ基板２０とを含む。筐体３の背壁１０に長孔状の放熱孔２１・２２が形成される。放熱孔２１は図１等に示す上通気孔９の一具体例であり、放熱孔２２は図１等に示す下通気孔８の一具体例である。筐体３の底面１５に長孔状の放熱孔２３が形成される。放熱孔２３は下通気孔８の一具体例である。
【００２５】
放熱孔２１は、表示パネル２の背面５側に配置された回路基板４よりも上側に形成される。放熱孔２２及び放熱孔２３は、当該回路基板４よりも下側に形成される。
【００２６】
（表示装置１の作用）
発熱したＴ−Ｃｏｎ基板１６を、表示パネル２の背面５に対して平行に配置した場合と、表示パネル２の背面５に対して７度傾斜して配置した場合との放熱効果のシミュレーション結果を比較した。
【００２７】
図９はＴ−Ｃｏｎ基板１６の温度分布を示す図である。図１０は比較例に係るＴ−Ｃｏｎ基板の温度分布を示す図である。図１１はＴ−Ｃｏｎ基板１６の周りの流速ベクトルをＴ−Ｃｏｎ基板１６の表示パネル２と反対側から見た図である。図１２はＴ−Ｃｏｎ基板１６の周りの流速ベクトルをＴ−Ｃｏｎ基板１６の表示パネル２側から見た図である。
【００２８】
表示パネル２と反対側では上昇していく空気は傾斜のついたＴ−Ｃｏｎ基板１６に進行を妨害される形になるため、Ｔ−Ｃｏｎ基板１６に沿って上昇するに従って流速ベクトルの大きさ密度が増加して、Ｔ−Ｃｏｎ基板１６に当たって、図１１の矢印Ａ１に示すように、Ｔ−Ｃｏｎ基板１６に沿うようにＴ−Ｃｏｎ基板１６の横から気流が抜ける。そして、図１２の矢印Ａ２に示すように、その空気がＴ−Ｃｏｎ基板１６の表示パネル２側に回り込む。この気流がＴ−Ｃｏｎ基板１６に沿って流れる過程でＴ−Ｃｏｎ基板１６の熱を放熱するため、Ｔ−Ｃｏｎ基板１６の上部の端で放熱効果が高くなる。例えば、比較例に係るＴ−Ｃｏｎ基板の上部端左側の温度は図１０に示すように４９．１℃であり、上部端右側の温度は４９．３℃であるが、実施形態１に係るＴ−Ｃｏｎ基板１６の上部端左側の温度は図９に示すように４１．４℃に低下し、上部端右側の温度は４１．７℃に低下する。
【００２９】
Ｔ−Ｃｏｎ基板１６の表示パネル２側の下端では、流路の断面積が急激に小さくなるため、流速が急激に増加する。そして、流速が急激に増加した空気がＴ−Ｃｏｎ基板１６に沿って上昇し、Ｔ−Ｃｏｎ基板１６の表示パネル２側の空気の密度が小さくなるため、矢印Ａ２に示すように、Ｔ−Ｃｏｎ基板１６の表示パネル２と反対側から空気が流れ込む。Ｔ−Ｃｏｎ基板１６の上方のＣ部では流速が増加している。
【００３０】
以上のことから、発熱するＴ−Ｃｏｎ基板１６に傾斜をつけることで空気の流れをコントロールすることが出来、表示パネル２に平行にＴ−Ｃｏｎ基板を設置した場合に比べて放熱効果が増加すると言える。
【００３１】
特に、Ｔ−Ｃｏｎ基板１６に傾斜をつけることでＴ−Ｃｏｎ基板１６の左右両端において空気の回り込む流れが生まれるため、従来なら放熱のしにくいＴ−Ｃｏｎ基板の上部の左右両端の放熱効率が大きく改善される。
【００３２】
図１３はＴ−Ｃｏｎ基板１６の周りの流速ベクトルをＴ−Ｃｏｎ基板１６の表示パネル２と反対側から見た図である。図１４はＴ−Ｃｏｎ基板１６の温度分布を示す図である。図１５はＴ−Ｃｏｎ基板１６の周りの流速ベクトルの分布をＴ−Ｃｏｎ基板１６の表示パネル２と反対側から見た図である。
【００３３】
Ｔ−Ｃｏｎ基板１６の表示パネル２側では下部の領域Ｄにおいて空気の流路の断面積が急激に小さくなるため流速が大きくなる。その後、次第に流速は減少していく。この時の流速の影響で、図１４に示すように、Ｔ−Ｃｏｎ基板１６の下部の領域Ｄにおける放熱効果が高くなる。
【００３４】
Ｔ−Ｃｏｎ基板１６の左右の領域Ｅにおいて、Ｔ−Ｃｏｎ基板１６の傾斜に起因して、前述したように、Ｔ−Ｃｏｎ基板１６の表示パネル２と反対側から表示パネル２側に空気が回り込む。この影響で、図１４に示すように、Ｔ−Ｃｏｎ基板１６の左右の領域Ｅにおける放熱効果が高くなる。
【００３５】
図１６はＴ−Ｃｏｎ基板１６の周りの空気の速度ベクトルを示す側面図である。Ｔ−Ｃｏｎ基板１６の表示パネル２と反対側では、上昇していく空気は傾斜のついたＴ−Ｃｏｎ基板１６に進行を妨害される形になるため、Ｔ−Ｃｏｎ基板１６の横から抜ける流れが発生する。そして、その空気がＴ−Ｃｏｎ基板１６の表示パネル２側に回り込むため、Ｔ−Ｃｏｎ基板１６の上部の端で放熱効果が高くなる。
【００３６】
図１７はＴ−Ｃｏｎ基板１６の表示パネル２に対する傾斜角度とＴ−Ｃｏｎ基板１６の温度との間の関係を示すグラフである。図１８〜図２６は、傾斜角度が０度〜１０度のときのＴ−Ｃｏｎ基板１６の温度分布を示す図である。
【００３７】
Ｔ−Ｃｏｎ基板１６の傾斜角度を変化させることによる放熱効果の変化をシミュレーションして傾斜角度による放熱効果への影響を検証した。Ｔ−Ｃｏｎ基板１６に傾斜をつけることで放熱効果が増加することは前述した。ここでは、どの角度が最適なのかについて検証結果を説明する。
【００３８】
Ｔ−Ｃｏｎ基板１６の左上、左中、左下、中央上、中央、中央下、右上、右中、及び右下のうちのどのポイントを特に放熱したいかによってＴ−Ｃｏｎ基板１６の最適な傾斜角度は異なることになるが、図１７に示すように、全体的に考えると傾斜角度３度〜５度でより効率的に放熱している。
【００３９】
図２７は傾斜角度が０度のときの回路基板４の温度分布を示す図である。図２８は傾斜角度が７度のときの回路基板４の温度分布を示す図である。図２９は傾斜角度が０度及び７度のときの回路基板４の温度分布を示す表である。
【００４０】
回路基板４のＴ−Ｃｏｎ基板１６のみを７度傾斜を付けたことで回路基板４のＴ−Ｃｏｎ基板１６以外の傾斜を付けなかったＬＥＤドライバ基板１７、電源基板１８、及びメイン基板１９に与える影響を確認した。図２８に示すように、Ｔ−Ｃｏｎ基板１６の真上に位置するＬＥＤドライバ基板１７の中央部のみ比較的温度悪化がみられる。但し、図２９に示すように、＋１．４℃増、と影響は大きくはない。それ以外の点では影響は十分に小さい。
【００４１】
図３０はＴ−Ｃｏｎ基板１６と表示パネル２と筐体３との関係を示す断面図である。図３１はＴ−Ｃｏｎ基板１６と表示パネル２と筐体３とのときのＴ−Ｃｏｎ基板１６の温度分布を示す図である。図３２はＴ−Ｃｏｎ基板１６と表示パネル２と筐体３Ａとの関係を示す断面図である。図３３はＴ−Ｃｏｎ基板１６と表示パネル２と筐体３ＡとのときのＴ−Ｃｏｎ基板１６の温度分布を示す図である。図３４は比較例に係るＴ−Ｃｏｎ基板と表示パネル２と筐体３との関係を示す断面図である。図３５は比較例に係るＴ−Ｃｏｎ基板と表示パネル２と筐体３とのときのＴ−Ｃｏｎ基板の温度分布を示す図である。
【００４２】
Ｔ−Ｃｏｎ基板１６に傾斜角度を設けることによる放熱効果の増加に対する回路基板４を設置する幅による影響を確認した。
【００４３】
図３０に示すように背壁１０の内面と支持シャーシ１１との間の幅Ｗ１の筐体３にＴ−Ｃｏｎ基板１６を傾斜して設置し、図３２に示すように幅Ｗ１よりも広い幅Ｗ２の筐体３ＡにＴ−Ｃｏｎ基板１６を傾斜して設置し、及び、図３４に示すように幅Ｗ１の筐体３にＴ−Ｃｏｎ基板１６を表示パネル２に平行に設置して、図３１、図３３、及び図３５に示すようにＴ−Ｃｏｎ基板１６の温度をシミュレーションした。
【００４４】
図３１及び図３３に示すように、Ｔ−Ｃｏｎ基板１６を設置する幅が異なっても同様な放熱効果が得られ、Ｔ−Ｃｏｎ基板１６の左右上部の温度が効果的に低下する。但し、幅Ｗ１よりも広い幅Ｗ２の筐体３ＡにＴ−Ｃｏｎ基板１６を傾斜して設置した場合、空気の流れる流路の断面積の変化の度合いが、幅Ｗ１の場合に比べて少なくなるので、幅Ｗ２を幅Ｗ１よりも広くしすぎると放熱効果は下がる。
【００４５】
（実施形態１の変形例）
図３６は実施形態１の変形例に係る表示装置１Ａの断面図である。前述した構成要素と同様の構成要素には同様の参照符号を付し、その詳細な説明は繰り返さない。
【００４６】
回路基板４は、図３６に示すように、図１に示す態様とは逆に、下通気孔８側の表示パネル２の背面５との間の距離が、上通気孔９側の表示パネル２の背面５との間の距離よりも長くなるように表示パネル２の背面に対して傾斜して配置される。この構成によっても、前述した効果と同様の効果が得られる。
【００４７】
（回路基板４の設置構成）
図３７は回路基板４の設置構成を示す断面図である。図３８は比較例に係る回路基板４の設置構成を示す断面図である。前述した構成要素と同様の構成要素には同様の参照符号を付し、その詳細な説明は繰り返さない。
【００４８】
回路基板４を表示パネル２に対して傾斜させて配置するための略円筒形のボス部材１４は、図３７に示すように、中心軸に沿ってねじ穴が一方の端面２６に形成される。そして、他方の端面２５は回路基板４を傾斜させて配置するために中心軸に対して傾斜して形成されてボス部材１４の端面２５が支持シャーシ１１に取り付けられる。回路基板４は、表示パネル２に対して傾斜してボス部材１４の端面２６にねじ２４により固定される。
【００４９】
回路基板４を表示パネル２に対して平行に配置するための円筒形のボス部材１４Ａは、図３８に示すように、中心軸に沿ってねじ穴が一方の端面に形成され、他方の端面は中心軸に対して垂直に形成される。回路基板４は、表示パネル２に対して平行にボス部材１４Ａの端面にねじ２４により固定される。
【００５０】
このように、表示パネル２を支持するために表示パネル２の背面５側に設けられた支持シャーシ１１と、回路基板４を支持するために支持シャーシ１１の表示パネル２と反対側に設けられたボス部材１４とが備えられる。そして、ボス部材１４は、回路基板４をボス部材１４に取り付けるためのねじ穴が中心軸に沿って形成され、支持シャーシ１１側の端面２５が回路基板４の傾斜角度に応じて中心軸に対して傾斜するように形成される。
【００５１】
この図３７の構成によれば、回路基板４の設置の手間が比較例の設置の手間と変わらないという利点が存在する。
【００５２】
図３９は回路基板４の他の設置構成を示す断面図である。前述した構成要素と同様の構成要素には同様の参照符号を付し、その詳細な説明は繰り返さない。
【００５３】
回路基板４を傾斜させて配置するための略円筒形のボス部材１４Ｂは、図３９に示すように、回路基板４を傾斜させて配置するために中心軸に対して傾斜して形成された端面２６Ｂがボス部材１４Ｂに形成される。そして、ねじ穴がこの端面２６Ｂに対して垂直に形成される。ボス部材１４Ｂは支持シャーシ１１に対して垂直に取り付けられ、端面２６Ｂに回路基板４がねじ２４により表示パネル２に対して傾斜して設置される。
【００５４】
このように、ボス部材１４Ｂは、回路基板４をボス部材１４Ｂに取り付けるためのねじ穴が形成され、回路基板４側の端面２６Ｂが回路基板４の傾斜角度に応じて中心軸に対して傾斜するように形成される。
【００５５】
この図３９の構成によれば、回路基板４の設置の手間が比較例の設置の手間と変わらないという利点が存在する。
【００５６】
図４０は回路基板４のさらに他の設置構成を示す断面図である。前述した構成要素と同様の構成要素には同様の参照符号を付し、その詳細な説明は繰り返さない。
【００５７】
中心軸に対して斜めに形成された端面２８に中心軸に沿ってねじ穴が形成された斜め部材２７をボス部材１４Ａの上に追加し、ねじ２４により回路基板４を挟み込む形で回路基板４を斜めに設置する。
【００５８】
このように、回路基板４を取り付けるためのねじ穴が中心軸に沿って形成された回路基板４側の端面２８が回路基板４の傾斜角度に応じて中心軸に対して傾斜するように形成されてボス部材１４Ａの上に設けられる斜め部材２７がさらに設けられる。
【００５９】
この図４０の構成によれば、ねじ２４のための回路基板４のねじ穴を拡大することで、ねじ２４を支持シャーシ１１に対して垂直に固定することができる。
【００６０】
（実施形態１の効果）
以上のように実施形態１によれば、回路部品からの発熱に基づいて回路基板４に沿って下通気孔８から上通気孔９に向かって流れる気流の流路が、筐体３内の表示パネル２の背面５側に形成され、この流路は、流路の断面積が回路基板４に沿って変化するように形成されている。このため、断面積が狭くなった回路基板４の上半分の流路の箇所で気流の流速が増大して、発熱する回路部品の放熱が促進される。この結果、回路基板の上半分でも自然対流の煙突効果による十分な放熱効果を得ることができる。
【００６１】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００６２】
図４１は実施形態２に係る表示装置１Ｂの断面図である。図４２は表示装置１Ｂに設けられたＴ−Ｃｏｎ基板の温度分布を示す図である。前述した構成要素と同様の構成要素には同様の参照符号を付し、その詳細な説明は繰り返さない。
【００６３】
前述した実施形態１では、回路基板４が傾斜して配置されていたが、本発明はこれに限定されない。回路部品からの発熱に基づいて回路基板４に沿って下通気孔８から上通気孔９に向かって流れる気流の流路の断面積が回路基板４に沿って変化するように形成されていればよい。例えば、図４１に示すように、回路基板４は表示パネル２に平行に配置し、筐体３Ｂの背壁１０Ｂを気流の流路に絞りを付けるように傾斜して形成してもよい。
【００６４】
ここで、背壁１０Ｂとは、筐体３Ｂの側壁のうち表示パネル２の背面５側に配置された側壁を意味するものとする。
【００６５】
このように、筐体３Ｂの表示パネル２の背面５側の背壁１０Ｂが、前記表示パネル２の背面５に対して内側に傾斜するように形成されている。そして、背壁１０Ｂは、回路部品に沿って下通気孔８から上通気孔９に向かって流路が狭くなるように形成されている。これにより、回路基板４と背壁１０Ｂとの間の流路の断面積が上方に行くに従って狭くなり、流速が増加することで、従来の構成よりも良好な放熱効果が得られる。
【００６６】
この構成によれば、回路基板４の設置方法を変える必要がないので、導入が容易である。従って、放熱効果を十分に得つつ、実施が容易である。
【００６７】
図４３は実施形態２に係る表示装置１Ｃの断面図である。前述した構成要素と同様の構成要素には同様の参照符号を付し、その詳細な説明は繰り返さない。
【００６８】
図４３に示すように、回路基板４を傾斜させるとともに、筐体３Ｃの背壁１０Ｃを傾斜させるように形成してもよい。
【００６９】
以上のように実施形態２によれば、筐体３Ｂ・３Ｃの表示パネル２の背面５側の背壁１０Ｂ・１０Ｃが、表示パネル２の背面５に対して傾斜するように形成されている。このため、回路部品からの発熱に基づいて回路基板４に沿って下通気孔８から上通気孔９に向かって流れる気流の流路の断面積を回路基板４に沿って変化させることができる。
【００７０】
〔まとめ〕
本発明の態様１に係る表示装置１・１Ａ・１Ｂ・１Ｃは、映像を表示するための表示パネル２と、前記表示パネル２を収容する筐体３・３Ｂ・３Ｃと、前記表示パネル２に表示される映像に対応する映像信号に関連する回路部品が搭載されて前記表示パネル２の背面５側に配置された回路基板４とを備え、前記筐体３・３Ｂ・３Ｃが、前記回路基板４よりも下側に形成された下通気孔８と、前記回路基板４よりも上側に形成された上通気孔９とを有し、前記回路部品からの発熱に基づいて前記回路基板４に沿って前記下通気孔８から前記上通気孔９に向かって流れる気流の流路が、前記筐体３・３Ｂ・３Ｃ内の前記表示パネル２の背面５側に形成され、前記流路は、前記流路の断面積が前記回路基板４に沿って変化するように形成されている。
【００７１】
上記の構成によれば、断面積が狭くなった回路基板の上半分の流路の箇所で気流の流速が増大して、発熱する回路部品の放熱が促進される。この結果、回路基板の上半分でも下半分と同様に自然対流の煙突効果による十分な放熱効果を得ることができる。
【００７２】
本発明の態様２に係る表示装置１・１Ａ・１Ｃは、上記態様１において、前記回路基板４が、前記表示パネル２の背面５に対して傾斜するように配置されていることが好ましい。
【００７３】
上記の構成によれば、回路基板が傾斜しているので、回路部品からの発熱に基づいて回路基板に沿って下通気孔から上通気孔に向かって流れる気流の流路の断面積を回路基板に沿って変化させることができる。
【００７４】
本発明の態様３に係る表示装置１・１Ｃは、上記態様２において、前記回路基板４は、前記下通気孔８側の前記表示パネル２の背面５との距離が、前記上通気孔９側の前記表示パネル２の背面５との距離よりも短くなるように傾斜して配置されることが好ましい。
【００７５】
上記の構成によれば、表示パネルの背面に対して傾斜するように回路基板を配置することができる。
【００７６】
本発明の態様４に係る表示装置１・１Ａ・１Ｃは、上記態様２において、前記回路基板４の前記表示パネル２の背面５に対する傾斜角度が、３度以上７度以下であることが好ましい。
【００７７】
上記の構成によれば、傾斜角度が３度以上であると、回路基板の全体を効率的に放熱することができる。傾斜角度が７度以下であれば、表示装置の奥行寸法がコンパクトになる。
【００７８】
本発明の態様５に係る表示装置１Ｂ・１Ｃは、上記態様１において、前記筐体３Ｂ・３Ｃの前記表示パネル２の背面５側の背壁１０Ｂ・１０Ｃが、前記表示パネル２の背面５に対して傾斜するように形成されていることが好ましい。
【００７９】
上記の構成によれば、筐体の前記表示パネルの背面側の背壁が、前記表示パネルの背面に対して傾斜するように形成されているので、回路部品からの発熱に基づいて回路基板に沿って下通気孔から上通気孔に向かって流れる気流の流路の断面積を回路基板に沿って変化させることができる。
【００８０】
本発明の態様６に係る表示装置１Ｂ・１Ｃは、上記態様５において、前記背壁１０Ｂ・１０Ｃは、前記回路基板４に沿って前記下通気孔８から前記上通気孔９に向かって前記流路が狭くなるように形成されていることが好ましい。
【００８１】
上記の構成によれば、筐体の表示パネルの背面側の背壁を、表示パネルの背面に対して傾斜するように形成することができる。
【００８２】
本発明の態様７に係る表示装置１・１Ａ・１Ｃは、上記態様２において、前記表示パネル２を支持するために前記表示パネル２の背面５側に設けられた支持シャーシ１１と、前記回路基板４を支持するために前記支持シャーシ１１の前記表示パネル２と反対側に設けられたボス部材１４・１４Ｂとをさらに備えることが好ましい。
【００８３】
上記の構成によれば、回路基板を、表示パネルの背面に対して傾斜するように配置することができる。
【００８４】
本発明の態様８に係る表示装置１・１Ａ・１Ｃは、上記態様７において、前記ボス部材１４は、前記回路基板４を前記ボス部材１４に取り付けるためのねじ穴が中心軸に沿って形成され、前記支持シャーシ１１側の端面２５が前記回路基板４の傾斜角度に応じて前記中心軸に対して傾斜するように形成されることが好ましい。
【００８５】
上記の構成によれば、回路基板を、表示パネルの背面に対して傾斜するように配置することができる。
【００８６】
本発明の態様９に係る表示装置１・１Ａ・１Ｃは、上記態様７において、前記ボス部材１４Ｂは、前記回路基板４を前記ボス部材１４Ｂに取り付けるためのねじ穴が形成され、前記回路基板４側の端面２６Ｂが前記回路基板４の傾斜角度に応じて中心軸に対して傾斜するように形成されることが好ましい。
【００８７】
上記の構成によれば、回路基板を、表示パネルの背面に対して傾斜するように配置することができる。
【００８８】
本発明の態様１０に係る表示装置１・１Ａ・１Ｃは、上記態様７において、前記回路基板４を取り付けるためのねじ穴が中心軸に沿って形成され前記回路基板４側の端面２８が前記回路基板４の傾斜角度に応じて前記中心軸に対して傾斜するように形成されて前記ボス部材１４Ａの上に設けられる斜め部材２７をさらに備えることが好ましい。
【００８９】
上記の構成によれば、回路基板を、表示パネルの背面に対して傾斜するように配置することができる。
【００９０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９１】
１  表示装置
２  表示パネル
３  筐体
４  回路基板
５  背面
８  下通気孔
９  上通気孔
１０  背壁
１１  支持シャーシ
１４  ボス部材
２５  端面
２６  端面
２７  斜め部材
２８  端面
【要約】
【課題】回路基板の上半分でも自然対流の煙突効果による十分な放熱効果を得る。
【解決手段】表示装置（１）は、回路部品からの発熱に基づいて回路基板（４）に沿って下通気孔（８）から上通気孔（９）に向かって流れる気流の流路が、筐体（３）内の表示パネル（２）の背面（５）側に形成され、この流路は、流路の断面積が回路基板（４）に沿って変化するように形成されている。
【選択図】図１【図１】
0006814321.tif 000002
【図２】
0006814321.tif 000003
【図３】
0006814321.tif 000004
【図４】
0006814321.tif 000005
【図５】
0006814321.tif 000006
【図６】
0006814321.tif 000007
【図７】
0006814321.tif 000008
【図８】
0006814321.tif 000009
【図９】
0006814321.tif 000010
【図１０】
0006814321.tif 000011
【図１１】
0006814321.tif 000012
【図１２】
0006814321.tif 000013
【図１３】
0006814321.tif 000014
【図１４】
0006814321.tif 000015
【図１５】
0006814321.tif 000016
【図１６】
0006814321.tif 000017
【図１７】
0006814321.tif 000018
【図１８】
0006814321.tif 000019
【図１９】
0006814321.tif 000020
【図２０】
0006814321.tif 000021
【図２１】
0006814321.tif 000022
【図２２】
0006814321.tif 000023
【図２３】
0006814321.tif 000024
【図２４】
0006814321.tif 000025
【図２５】
0006814321.tif 000026
【図２６】
0006814321.tif 000027
【図２７】
0006814321.tif 000028
【図２８】
0006814321.tif 000029
【図２９】
0006814321.tif 000030
【図３０】
0006814321.tif 000031
【図３１】
0006814321.tif 000032
【図３２】
0006814321.tif 000033
【図３３】
0006814321.tif 000034
【図３４】
0006814321.tif 000035
【図３５】
0006814321.tif 000036
【図３６】
0006814321.tif 000037
【図３７】
0006814321.tif 000038
【図３８】
0006814321.tif 000039
【図３９】
0006814321.tif 000040
【図４０】
0006814321.tif 000041
【図４１】
0006814321.tif 000042
【図４２】
0006814321.tif 000043
【図４３】
0006814321.tif 000044